(57)【要約】【課題】  ジーンズの左右の裾が同一方向に回転して、Ｓ字状のラインによじれる状態の癖を再現したかのように見え、膝下付近のアタリの色模様を上方に位置させて脚長に見せるヴィンテージ・ジーンズ調のジーンズを提供する。【解決手段】  ジーンズ１の側面部の縫い目９、１０、１１、１２の各ラインを、直線的なラインの縫い目のラインに代えて、予めデニムの布地をＳ字に湾曲した状態に生地の端部をカットし、この端部の生地を縫製することで縫い目のラインを意図的にＳ字の湾曲状に割縫いし、Ｓ字に湾曲した縫い目のラインをジーンズ１の前身ごろ３及び後身ごろ４にそれぞれ現出し、Ｓ字の湾曲位置を膝位置よりもやや上方の位置に設け、ヴィンテージ・ジーンズに生ずる膝下にできるアタリの膨らみを膝より少し上方にできたような視覚的効果を与えて膝下を長く見せた脚長調としたヴィンテージ・ジーンズ調のジーンズ１。【選択図】      図１
2008274452.tif 000002
【特許請求の範囲】
【請求項１】
ジーンズの側面部の割縫いによる縫い合わせの縫い目ラインを、直線的ラインの縫い目ラインに代えて、予めデニムの布地をＳ字に湾曲した状態に生地の端部をカットし、このＳ字に湾曲した端部の生地を縫製することで縫い目のラインを意図的にＳ字の湾曲状に割縫いし、割縫いのＳ字に湾曲した縫い目のラインをジーンズの前身ごろ及び後身ごろにそれぞれ現出したことを特徴とするヴィンテージ・ジーンズ調の外観を有するジーンズ。
【請求項２】
上記のＳ字に湾曲した縫い目のラインは、そのラインのＳ字に湾曲した位置を膝位置よりもやや上方の位置に設けることで、ヴィンテージ・ジーンズに生ずる膝下にできるアタリの膨らみを膝より少し上方にできたような視覚的効果を与えて膝下を長く見せた脚長調としたことを特徴とする請求項１に記載のヴィンテージ・ジーンズ調の外観を有するジーンズ。
【発明の詳細な説明】
【技術分野】
【０００１】
本発明は、ヴィンテージ・ジーンズ調の外観を有し、股下の脚の長さを長くみせるジーンズに関する。
【背景技術】
【０００２】
ジーンズ製のパンツ（いわゆるジーパン、以下、単に「ジーンズ」という。）では、ヴィンテージ・ジーンズと称される年代物のジーンズがファッション性と希少性から高価に流通していることは良く知られている。ヴィンテージ・ジーンズは製造当時とは異なり、着古した風合いがあるほか、股下から裾へなるにつれてジーンズの脚部がよじれ、その結果、側部の縫い合わせの縫い目のラインの部分が裾のあたりで、正面側に回り込んで見えるようになり、さらに膝の屈曲による癖で膝下の正面にやや突出する膨らみが現れ、かつ、その部分が色落ちしていることが多い。このジーンズの脚先側のよじれは、左右の脚とも同一方向に回転しているものである。なぜなら、左右の脚とも、同じ方向の綾織のデニム生地を用いているからである。
【０００３】
ところで、ジーンズは、一般に左前と右前の形状、左後と右後の形状がそれぞれ左右対称の形状に裁断されたデニム生地で製造されている。裁断される形状は左右対称ではあるが、用いられるデニム生地は右綾もしくは左綾のどちらかの綾織で織成された一種類の生地を使用し、表地の織り目模様の向きはジーンズの左右の脚部とも共通である。なお、一般に市場に出回っているジーンズは、デニム生地の綾織が右綾の生地を使用しているものが大半である。この右綾の生地は織地表面の稜線、すなわち綾目が左肩上がりで、綾目が左上から右下に向かって斜めに流れているものである。
【０００４】
一般にジーンズの型紙は、通常２枚からなり、つまり前半身の前身ごろ用と、後半身の後身ごろ用で、そして左右の型紙は対称になっていて、左前身ごろ用と右前身ごろ用が左右対称であり、さらに左後身ごろ用と右後身ごろ用が左右対称になっている。ジーンズはこれらの型紙から裁断したデニムの生地を割縫いして合わせて作る。このジーンズの各部材は、前身ごろ用の、フロントポケットの内側である脇はぎ、フロントポケットである袋ポケット、時計落とし、ヴィンテージ仕様のジーンズには、耳付きの時計落とし、トップボタンおよびリベット、バンドを通すループ、ジーンズの前身ごろ本体と、後身ごろ用の、ジッパー部分に付く持ち出し、ジッパー、ジッパー部を覆う前立と、後半身用のインサイドネーム、ジーンズの最上部の腰帯、腰帯と後身を結ぶ山はぎ（これはないものもある。）、革パッチ、バックポケット、ピスマーク、ジーンズの後身ごろ本体と、バンドを通すループからなる後側用の各パターンから構成されており、これらの前身ごろと後身ごろを縫い合わせることでジーンズのシルエットに仕上げられる。
【０００５】
このように、通常の左右対称な型紙で裁断されて縫製した従来のジーンズでは、製造直後は、表裏の生地を割り縫いした縫い目がジーンズの脚部の側面に沿って真っ直ぐに現れている。しかし、これらの縫い目は、長年着用することで、次のように変化する特徴がある。すなわちジーンズの右綾又は左綾からなる生地のデニムからなるが、着用による経年変化により、例えば、一般的な右綾のデニムの生地では、生地に右前周りの方向へのよじれが生じてきて、図４の（ａ）に示すように、ジーンズ１の左脚の外側の縫い目９が前方から見えることとなり、右脚の内側の縫い目１０が前方から見えることとなる。また、図４の（ｂ）に示すように右脚の外側の縫い目１１が後方から見えることとなり、左脚の内側の縫い目１２が後方から見えることとなる。このように脚先側の裾１３のデニム生地が足首に対して右前側に回転するようによじれていく。すなわち図４の（ｃ）、（ｄ）に示すように、この従来の着古したジーンズを側面から見ると、側部の縫い目９及び縫い目１１はＳ字に湾曲してよじれている。これはジーンズの着用年数が長ければ長いほど、図４の縫い目９、縫い目１０、縫い目１１、縫い目１２のような状態になって各縫い目が右前に流れて回転するように脚先側へ延びている。その結果、例えば、外側の左側部の縫い目９及び内側の左側部の縫い目１０がそれぞれ脚の脛の方へとよじれるので、左上から右下へ斜めにそれぞれの左外側部の縫い目９及び左内側部の縫い目１０がよじれていく様子が現れる。
【０００６】
加えて、ジーンズを長期にわたって着用していると、図５の（ａ）に示すように、縫製直後の着用初期には直線であったジーンズの側部の点線で示す縫い目９のラインは、使用時の膝の屈曲により、膝下の１０〜１２ｃｍのあたりが、長年の使用による経年変化により、図５の（ｂ）に示すように、点線で示すラインに見られるように、前方に膨らんだ癖がついてアタリの位置ｂが膝の前に膨出していわゆる膝が抜けることが多く、この膨らみによって、左上から右下へと斜め前方向によじれ、左脚の外側部の縫い目９は膝下の膨らみに沿うように湾曲し、右脚の内側部の縫い目は、図示しないが、膝下の膨らみに倣うように湾曲して裾１３に至る。このように湾曲して膝が抜けると、着用による体型が露出し、この露出状況を防ぐことはできなかった。なお、図５でジーンズの前身ごろ３と後身頃４の間が縫い目９である。
【０００７】
ジーンズを含めていわゆるボトムスにおいて、これまでも外形的に美しさを求めて種々のスタイルの追求がされてきた。例えば、裾広のシルエットを持たせたベルボトムが１９６９年に、身体の曲線にぴったりとフィットするシルエットとしてスリムジーンズが１９８１年に発表された。このようにシルエットとして、ストレート、フレアー、スリムなどのジーンズのファッション化が図られてきた。また生地の素材としてポリウレタンを混入して伸縮性の生地によりブーツカットやスリムなどをストレッチとすることで、素材感によって脚にフィットさせ、一層に美しいラインをもたらした。さらに、立体裁断でダーツを入れたり、切替しを入れたりと履き心地を追求したデザインが開発されてきた。今までのジーンズを含めたいわゆるボトムスにおいて、脚長といえば、上記の様なシルエットによる脚長効果、特にブーツカット、をもたらすものが中心であった。
【０００８】
ところで、着古されたジーンズには、かすれや色落ちなどの風合いが生地に現れる。この場合、擦れて白く色落ちした部分に対し、その部分を元の濃く残った部分とのコントラストの差から、これらの色落ちした部分を「アタリ」と称することが多い。このアタリは前後の生地の縫い目の部分に、はっきり現れることから、膝下で屈曲する斜めに走る縫い目のラインはくっきりと確認できることが多い。しかし、上記の膝下の膨出した部分にもアタリが現れる。
【０００９】
さらに、ヴィンテージ・ジーンズでは、前身ごろと後身ごろを両側部で割り縫いをして脚の入る筒状に縫製加工しているものが多い。この割り縫いは布類の縫い方の一種で、文字どおり縫ってから、縫い代を割り開く始末法である。加えて割り縫い処理で始末する際に、脚部の外側箇所には、デニム生地の織り端がほつれないようするために、施された生地の耳（セルビッチ）を配置させることが多かったので、アタリのコントラストがこの縫い目ではより明瞭に現れやすい。
【００１０】
ところで、ジーンズは着古された風合いのものが好まれる傾向にある。しかしながら、本物のヴィンテージ・ジーンズは中古品で希少性があることから、数量も限られており、誰しもが容易に入手可能な品物とはいえない。また防縮加工がされていないなど、取り扱いが難しいところもある。
【００１１】
そこで、従来より、ヴィンテージ・ジーンズの雰囲気や風合いに近いジーンズを提供する試みがされている。すなわち、ジーンズに着古した感じを付与すべく、縫製後の洗濯行程などでジーンズの生地の表面にアタリを付与する種々のウォッシュ法が知られており、また、手作業でヤスリなどでかすれをつくるハンドシェービング法や、皺模様の形成された板に布地を押圧研磨して皺模様を付与する方法（例えば、特許文献１参照。）などが知られている。また、ジーンズのデニムの生地の布帛製造や製糸に際して、着古し感覚を与える手法が種々開発されている（例えば、特許文献２〜４参照。）。
【００１２】
また、ジーンズの雰囲気や風合いとは無関係であるが、着用時の履き心地を改善し、厚手ジーンズでの動作のしやすさを目的として、立体裁断の手法を用いたジーンズの開発が知られている（例えば、特許文献５参照）。たしかに、立体裁断されたジーンズでは、前身ごろと後身ごろを縫製する縫い合わせ部のラインは必ずしも側面に真っ直ぐに現れるとは限らない。しかしながら、立体裁断とはいえ、いずれも基本的に左右対称の型紙で裁断されるものである。したがって、これらに生じる縫い目のラインはデニム生地が右綾であることに起因した右回転によじれるラインとは全く異なるものであり、無関係のライン形状となっている。
【００１３】
【特許文献１】特願２０００−３５３３０２公報
【特許文献２】特開平７−１７３７６６号公報
【特許文献３】特開平８−２２６０３５公報
【特許文献４】特開平１０−７７５８４公報
【特許文献５】特許第３１６２０７７号公報
【発明の開示】
【発明が解決しようとする課題】
【００１４】
ところで、従来、ヴィンテージ・ジーンズのような着古された風合いを志向するものは、生地そのものに、予めかすれや濃淡を付与するか、縫製後のジーンズを物理的に色模様を付与せしめるかのいずれかであって、右綾のデニム生地によって脚先部が右回転によじれるといった現象を再現した外観を提供するものではなかった。
【００１５】
また、膝の屈曲によって生ずる膨らみやアタリのコントラストによる色模様は、図５の（ｂ）に示すように、脚を真っ直ぐ伸ばしたときには膝のやや下方の１０〜１２ｃｍの範囲のアタリの位置ｂに現れ、この部分がやや前方へ膨れる。したがって、色模様に影響されて遠目には、このようなジーンスの着用者の膝の位置が実際よりも下方に位置するように見えることになる。これでは、着用者の膝下が短かく、かつ、脚部全体の長さが短いかのような印象を与えることになり、衣服としてのバランスを失してしまう。この点、弾性のズボンの場合、ボトム（パンツ）の股上の長さや裾の太さを工夫するなどすることで、脚部を長く見せるようなボトム形状は存在する。しかし、これらも製造直後の仕上がりが念頭におかれており、ジーンズのように使用で発生する色模様と膨れによって膝下が短くみえてしまう現象に対応するものではなかった。さらに、上記のよじれやアタリの部分の膨れがあると、例えば右綾の生地の場合に側部の縫い目が右回転によじれる際に、Ｓ字に湾曲しながら脚先部が右回転によじれることとなる。
【００１６】
そこで、本発明が解決しようとする課題は、ヴィンテージ・ジーンズの左右の裾が同一方向に回転して、Ｓ字状のラインによじれる状態の癖を再現したかのように見えるようにした、ヴィンテージ・ジーンズ調の外観を有するジーンズを提供することであり、さらに膝下付近のアタリの色模様を上方に位置させることで、脚を脚長に見せるものとしたヴィンテージ・ジーンズ調のジーンズを提供することである。
【課題を解決するための手段】
【００１７】
上記の課題を解決するための本発明の手段は、請求項１の発明では、ジーンズの側面部の割縫いによる縫い合わせの縫い目のラインを、直線的なラインの縫い目のラインに代えて、予めデニムの布地をＳ字に湾曲した状態に生地の端部をカットし、このＳ字に湾曲した端部の生地を縫製することで縫い目のラインを意図的にＳ字の湾曲状に割縫いし、割縫いのＳ字に湾曲した縫い目のラインをジーンズの前身ごろ及び後身ごろにそれぞれ現出したことを特徴とするヴィンテージ・ジーンズ調の外観を有するジーンズである。
【００１８】
請求項２の発明では、上記のＳ字に湾曲した縫い目のラインは、そのＳ字に湾曲した位置を膝位置よりもやや上方の位置に設けることで、ヴィンテージ・ジーンズに生ずる膝下にできるアタリの膨らみを膝より少し上方にできたような視覚的効果を与えて、膝下を長く見せた脚長調としたことを特徴とする請求項１の手段のヴィンテージ・ジーンズ調の外観を有するジーンズである。
【００１９】
従来のジーンズを仕立てる際に使用する型紙は左右対称であって、ジーンズの前身ごろ用と後身ごろ用の２枚の型紙をそれぞれ裏返して左右用に共通して使用できるのに対し、本発明のジーンズを仕立てる前身ごろ用と後身ごろ用のそれぞれ２枚の計４枚の型紙を必要とし、これらの型紙はそれぞれの側部が互いに非対称のＳ字形状からなるものであって、これを使用してデニムの生地を前後左右の４枚の生地に別々に裁断し、得られた生地を縫製により仕上げて１本のジーンズとしたものである。
【発明の効果】
【００２０】
本発明は上記の手段とすることで、ジーンズが長年の着用による経年変化で発生する生地の色落ちや、アタリによる色落ちや膝下の膨れを、縫製後の表面の摩擦などの加工により再現するとともに、さらに膝下に生じるアタリの色落ち部分を膝よりやや上方の位置にあるように、生地のカッティング段階において、生地の側端部の形状をＳ字にカッティングし、このＳ字の湾曲部の上部の湾入位置を膝上にあるようにすることで、この生地から縫製したジーンズを着用した際に、実際の体型が表面に露出して現れることを防止してヴィンテージ・ジーンズ調に見えるジーンズとし、さらに着用者の脚部の長さを脚長に見せる視覚効果を有する脚長のシルエットのヴィンテージ・ジーンズ調に見えるジーンズとしている。
【発明を実施するための最良の形態】
【００２１】
以下に、本発明の実施の形態を図面を用いて説明する。先ず、本発明の生地の側端部の縫い目のラインをＳ字に湾曲することで、視覚的に形成した膨れである見掛けのアタリ（膝の抜けた状態）の位置ａと、従来の着古したジーンズにおける膝下が膨れて形成された着古しによるアタリの位置ｂとを、それぞれ仮想線１７で高さ位置を示す着用者の膝皿１５の位置とを比較して図１により説明する。先ず、ジーンズ１の前身ごろ３について図１の（ａ）により説明する。従来のジーンズ１の経年変化による膝の抜けたすなわち前へ膨れた着古しによるアタリの位置ｂは、股下２の部分から仮想線１７で高さ位置で示す膝皿１５の位置までを基準とするとき、この基準の位置よりも、さらに１０〜１２ｃｍ下方の点線で示す円の位置にあり、さらに経年変化により生じたジーンズ１の左脚の左外側の縫い目９及び右脚の左内側の縫い目１０のラインは点線で示すようにＳ字に湾曲して前部に現れている。
【００２２】
これに対し、本願発明のジーンズ１の視覚的に設けた見掛けのアタリの位置ａは、仮想線１７で高さ位置を示す膝皿１５の位置よりも１０〜１２ｃｍ上方に位置するものとし、さらに色落ちし、かつ、見た目に膨出しているように見せるために、ジーンズ１の左脚の左外側の縫い目５のライン及び右脚の左内側の縫い目６のラインを、それぞれアタリの位置ａよりもやや上部でＳ字に右側へ湾入させた後、着用者の膝皿１５の位置で左に曲げて、その後再び右前下方に流してジーンズ１の下端の裾１３に湾曲させながら延ばし、左外側の縫い目５及び左内側の縫い目６のラインをそれぞれ右まえ側に寄せた位置とし、さらにそれぞれ左脚及び右脚の両側部は生地の山折り線１４としている。
【００２３】
次いで、ジーンズ１の後身ごろ４について図１の（ｂ）により説明する。従来のジーンズ１の経年変化による右外側の縫い目１１及び右内側の縫い目１２は、点線で示すように、股下２の部分から仮想線１７で高さ位置を示す膝裏１６の位置で最も左側に湾入し、さらにこの位置から１０〜１２ｃｍ下方で右側に曲がり、さらに裾に向かって左に湾曲して延延びている。これに対し、本願発明のジーンズ１の視覚的に設けた見掛けのラインは仮想線１７で高さ位置を示す膝裏１６の位置よりも１０〜１２ｃｍ上方に位置するように見せるために、ジーンズ１の右脚の右外側の縫い目７のライン及び左脚の右内側の縫い目８のラインをそれぞれＳ字に左側へ湾入させた後、膝裏１６の位置で右に曲げて、その後再び左に流し、ジーンズ１の下端の裾１３に湾曲させて延ばし、縫い目７及び縫い目８を左側に寄せた位置とさせている。
【００２４】
すなわち、図２において、（ａ）は本発明のヴィンテージ・ジーンズ調としたジーンズ１の左側面を示し、（ｂ）は本発明のヴィンテージ・ジーンズ調としたジーンズ１の右側面を示す。これら図２において、点線で示した側部のＳ字状のラインは従来のジーンズ１の長年の使用により経時変化した左側部の縫い目９及び右側部の縫い目１１を参考に示している。ところで、この従来のジーンズ１においても、ジーンズ１の製作当初では、点線で示した縫い目９及び縫い目１１はそれぞれの側部で直線となって縫製されていた。しかし、長年の着用により、右綾のデニムの生地で製作されたジーンズ１では、経時変化にともなって左右の脚部の生地が裾側になるに連れて右側によじれてきて、さらに膝下の部分が図に半円で示す部分がアタリの位置ｂとなって前部へ抜けて膨出してくる。したがって、この従来のジーンズ１における膝下のアタリの位置ｂの部分の側部の点線で示す縫い目９のライン及び縫い目１１のラインはジーンズ１の前方へ膨らんで湾曲し、全体でＳ字の縫い目９のライン及び縫い目１１のラインとなり、Ｓ字の上部の湾曲部の前方に突出した位置は上記のアタリｂの仮想線１７の高さ位置に生じている。
【００２５】
これに対し、本願の発明のヴィンテージ・ジーンズ調としたジーンズ１では、上記の図１で説明したように、あたかも着古したジーンズ１のアタリの位置ｂに見間違うように、図２の（ａ）に示すように、従来の着古したジーンズ１の縫い目９のＳ字の上部の湾曲部の位置である仮想線１７の位置よりも約１０〜１２ｃｍ上方の仮想の膨らみの白濁したアタリの位置ａのやや上部を新調のジーンズ１における縫い目５のＳ字の上部の湾曲部の位置となるように、生地の端部をＳ字に裁断して縫製を行っている。同様に図２の（ｂ）に示すように、従来の着古したジーンズ１の縫い目１１のＳ字の上部の湾曲部の位置である仮想線１７の位置よりも約１０〜１２ｃｍ上方の仮想の膨らみの白濁したアタリの位置ａのやや上部を新調のジーンズ１においても縫い目７のＳ字の上部の湾曲部の位置となるように生地の端部をＳ字に裁断して縫製を行っている。
【００２６】
このジーンズ１は、着用者の身長によりジーンズの丈の規格が通常は０番から５番まである。この場合、規格を（１）：股下２から裾１３までの長さ、と対比し、（２）：股下２と膝皿１５の中心までの長さ、（３）：股下２から膝下１０ｃｍのアタリの位置ｂまでの長さ、（４）：股下２から仮想の膝上１０ｃｍのアタリの位置ａまでの長さを順次に示す。
【００２７】
０番では、（１）：７１ｃｍ（２８インチ）、（２）：３２ｃｍ、（３）：４２ｃｍ、（４）：２２ｃｍである。
【００２８】
１番では、（１）：７４ｃｍ（２９インチ）、（２）：３３ｃｍ、（３）：４３ｃｍ、（４）：２３ｃｍである。
【００２９】
２番では、（１）：７６ｃｍ（３０インチ）、（２）：３４ｃｍ、（３）：４４ｃｍ、（４）：２４ｃｍである。
【００３０】
３番では、（１）：８１ｃｍ（３２インチ）、（２）：３６ｃｍ、（３）：４６ｃｍ、（４）：２６ｃｍである。
【００３１】
４番では、（１）：８６ｃｍ（３４インチ）、（２）：３７ｃｍ、（３）：４７ｃｍ、（４）：２７ｃｍである。
【００３２】
５番では、（１）：９１ｃｍ（３６インチ）、（２）：３８ｃｍ、（３）：４８ｃｍ、（４）：２８ｃｍである。
【００３３】
本発明のヴィンテージ・ジーンズ調としたジーンズ１の本体の型紙１８は、それぞれその側部のラインが異なるＳ字状の展開形状からなっている。図３の（ａ）は左右の前身ごろ３のそれぞれ非対称の型紙１８であり、図３の（ｂ）は左右の後身ごろ４のそれぞれ非対称の型紙１８であり、裾部は１３で示している。これらの４枚は、それぞれが非対称の側部で、それぞれの側部のラインが非対称のＳ字ラインの縫い代部からなっている。１本のジーンズの製作には、同一方向の綾目を有する生地になるように、上記の互いに非対称の４枚の型紙１８を使用して生地を裁断し、この本体の生地に合わせて、図示しないが、前身ごろ用の、フロントポケットの内側である脇はぎ、フロントポケットである袋ポケット、時計落とし、ヴィンテージ仕様のジーンズには、耳付きの時計落とし、トップボタンおよびリベット、バンドを通すループ、ジーンズと、後身ごろ用の、ジッパー部分に付く持ち出し、ジッパー、ジッパー部を覆う前立と、後半身用のインサイドネーム、ジーンズの最上部の腰帯、腰帯と後身を結ぶ山はぎ（これはないものもある。）、革パッチ、バックポケット、ピスマークと、バンドを通すループを生地を加えて、縫製するものとする。したがって、縫製されて出来上がったジーンズ本体部の各脚部の側部の各縫い目のラインは、Ｓ字の湾曲部が例えば全て右回りというように、同一方向によじられたように形成され、着古しにより形成された縫い目のラインのように見える視覚的効果を備えたものとなる。
【００３４】
さらに上記で縫製されたジーンズは、従来法により、ジーンズに着古した感じを付与するために、縫製後の洗濯行程などでジーンズの生地の表面にアタリを付与する種々のウォッシュ法や手作業のヤスリなどでかすれをつくるハンドシェービング法やその他の研磨法で皺模様を付与する方法により、縫い目のラインに沿うアタリや膝部の上部にアタリの白濁の色落ち部をそれぞれ人工的に形成して完成品とする。
【図面の簡単な説明】
【００３５】
【図１】本発明のジーンズの前後部の外観を示す図で、（ａ）は前部で、（ｂ）は後部から見た図である。
【図２】上記の本発明のジーンズの側部の外観を示す図で、（ａ）は左側部で、（ｂ）は右側部から見た図である。
【図３】本発明のジーンズの本体の４枚の非対称の型紙で、（ａ）は左右の前身ごろの型紙で、（ｂ）は左右の後身ごろの型紙である。
【図４】従来のジーンズの経年変化した状態を示し、（ａ）は正面図、（ｂ）は背面図、（ｃ）は左側面図、（ｄ）は右側面図である。
【図５】従来のジーンズの着用状態を示す図で、（ａ）は縫製直後の図で、（ｂ）は経年変化後の図である。
【符号の説明】
【００３６】
１  ジーンズ
２  股下
３  前身ごろ
４  後身ごろ
５  左脚の左外側の縫い目
６  右脚の左内側の縫い目
７  右外側の縫い目
８  右内側の縫い目
９  左脚の左外側の縫い目
１０  右脚の左内側の縫い目
１１  右外側の縫い目
１２  右内側の縫い目
１３  裾
１４  山折り線
１５  膝皿
１６  膝裏
１７  仮想線
１８  型紙
ａ  アタリの位置
ｂ  アタリの位置
【図１】
2008274452.tif 000003
【図２】
2008274452.tif 000004
【図３】
2008274452.tif 000005
【図４】
2008274452.tif 000006
【図５】
2008274452.tif 000007